(57)【特許請求の範囲】
【請求項１】
ＦＭチューナを備え、このＦＭチューナが番組放送及び該番組放送に多重化された多重データを含む多重放送電波を受信しながら、この多重放送から得られる代替周波数リストに基づいて前記ＦＭチューナを受信状況の良好な代替局周波数に追従動作させる制御手段と、受信した多重データを取り込み記憶する記憶手段とを有する多重放送用受信装置であって、
前記制御手段は、
前記ＦＭチューナがある放送局にチューニングして、当該放送局の多重放送電波から得られる多重データが所定グループ分取得できたか否かを判定するグループ取得判定手段と、
このグループ取得判定手段にて多重データが所定グループ分取得できたと判定すると、電界強度が良好な受信状況下で多重データから番組識別コードが取得されたか否かを判定する番組識別コード取得判定手段と、
この番組識別コード取得判定手段にて番組識別コードが取得されたと判定すると、この取得した番組識別コードとそれ以降に取得した多重データの番組識別コードとを比較し、一致しているか否かを判定する番組識別コード比較判定手段と、
この番組識別コード比較判定手段が一致していると判定すると、この一致している番組識別コードに基づいて、多重データから代替周波数リストを含むデータを作成して記憶手段に格納する第１のデータ作成手段とを備えることを特徴とする多重放送用受信装置。
【請求項２】
前記番組識別コード比較判定手段にて一致していないと判定しても、多重データから任意に選択されたＰＳデータを含むデータを作成して記憶手段に格納する第２のデータ作成手段を更に備える請求項１記載の多重放送用受信装置。
【請求項３】
ＦＭチューナを備え、このＦＭチューナが番組放送及び該番組放送に多重化された多重データを含む多重放送電波を受信しながら、この多重放送電波から得られる代替周波数リストに基づいて前記ＦＭチューナを受信状況の良好な代替局周波数に追従動作させる制御手段と、受信した多重データを取り込み記憶する記憶手段を有する多重放送用受信装置であって、
前記制御手段は、
前記ＦＭチューナがある放送局にチューニングして、当該放送局の放送電波から得られる多重データが所定グループ分取得できたか否かを判定するグループ取得判定手段と、
このグループ取得判定手段にて多重データが所定グループ分取得できたと判定すると、電界強度が良好な受信状況下で多重データから番組識別コードが取得されたか否かを判定する番組識別コード取得判定手段と、
この番組識別コード取得判定手段にて番組識別コードが取得されていないと判定されると、前記多重データを取得できる所定の期間、電界強度が良好な受信状況下に保持されているか否かを判定する取得期間判定手段と、
この取得期間判定手段にて良好な受信状況下に保持されていると判定すると、前記番組識別コードが予め指定された回数有効であるか否かを判定する番組識別コード判定手段と、
この番組識別コード判定手段にて番組識別コードが指定回数有効であると判定すると、この番組識別コードに基づいて多重データから代替周波数リストを含むデータを作成して前記記憶手段に格納するデータ作成手段とを備えることを特徴とする多重放送用受信装置。
【発明の詳細な説明】
【０００１】
【発明の属する技術分野】
本発明は、番組放送及び該番組放送に多重化されたデータを含む多重放送電波から番組放送を受信するともに、当該番組放送に多重化された多重データ等のＲＤＳ（ラジオ・データ・システム）データを取得する多重放送用受信装置に関するものである。
【０００２】
【従来の技術】
多重放送には、ＦＭラジオ放送の放送電波に当該番組放送に関連する情報や交通情報などの情報を多重化し、受信側が当該多重化された情報を解読することにより、当該ラジオ放送の受聴者に対して様々なサービスを提供することができるＲＤＳ（ラジオ・データ・システム）方式がある。
【０００３】
このようなＲＤＳ方式においては、主に多くの放送局がネットワークを組んで同一番組を放送することが多い欧州等で広く普及しており、ＦＭ変調波の周波数帯域外で１９ＫＨｚのステレオパイロット信号の３次高調波である５７ＫＨｚを副搬送波とし、フィルタリング及びバイフェーズコード化された番組関連情報や交通情報等の情報を示すデータ信号により、前記副搬送波を振幅変調してラジオデータ信号（以下、単にＲＤＳデータと称する）とし、この振幅変調された副搬送波を波数変調して放送するようになっている。
【０００４】
図３は、ＲＤＳデータのベースバンドコーティング構造を示す説明図である。
【０００５】
このＲＤＳデータは、図３に示すように、１０４ビットからなるグループ単位で構成され、各グループはそれぞれ２６ビットの４つのブロックＡ、Ｂ、Ｃ、Ｄからなり、各ブロックＡ、Ｂ、Ｃ、Ｄは、１６ビットの情報語（ｍ１〜ｍ１５）と、１０ビットの検査語及びオフセット語（ｃ′０〜ｃ′９）とから構成されている。
【０００６】
ブロックＡには、国名データや番組データからなるネットワークを示す番組識別データ（以下、単にＰＩコードと称する）が、ブロックＢには、交通情報放送局の識別データを示す交通番組識別データ（以下、単にＴＰデータと称する）や交通情報中の識別データを示す交通アナウンス識別データ（以下、単にＴＡデータと称する）が、ブロックＣには、同一番組を放送しているネットワーク局群の各局の周波数に関わるデータ、すなわち代替周波数データ（以下、単にＡＦデータと称する）が、ブロックＤには、放送局名やネットワーク名等の放送局名データ（以下、単にＰＳデータと称する）がそれぞれ配置されている。
【０００７】
また、各グループＡ、Ｂ、Ｃ、Ｄは、その内容に応じて４ビットにてタイプ０〜１５の１６通りに区別され、さらに各タイプ（０〜１５）に対してそれぞれＡ、Ｂの二つのバージョンが定義されており、これらの認識コードはブロックＢに配置されている。
【０００８】
通常、前記バージョンＡに定義されたタイプとしては、ブロックＡにＰＩコードが必ず含まれているが、前記バージョンＢに定義されたタイプとしては、ブロックＡに加えてブロックＣにもＰＩコードが含まれている。しかしながら、このバージョンＢのタイプが送信される割合は非常に少ない。
【０００９】
このようなＲＤＳデータを使用する多重放送用受信装置は、ＲＤＳデータの受信時に復調して得られるＡＦデータを取り込んでメモリに記憶しておき、例えばマルチパス妨害等の外乱により現在受信中の放送局における受信レベルが低下した場合、メモリに記憶したＡＦデータに基づいて受信レベルの良好な他のネットワーク局である代替局を選択する自動追従システムを備えている。この自動追従システムを用いることにより、外乱の影響を受けることなく、常に受信状態の良好な同一番組の放送をユーザーに提供することができる。
【００１０】
【発明が解決しようとする課題】
従来、このような多重放送用受信装置において、ＲＤＳデータを取得するに際しては、ＰＩコードが取り込めたならば、ＲＤＳサービスを実施している放送局、すなわちＲＤＳ局であると判定して、他のＲＤＳデータであるＡＦリスト、ＴＰデータ、ＴＡデータやＰＳデータ等を取得する。
【００１１】
また、ＰＩコードが変化した時には、番組の異なる他の放送局の隣接妨害を受けていて、ＲＤＳデータが他の放送局のものであると判定し、ＡＦデータをメモリに取り込んでＡＦリストを作成する処理を禁止するなど方式を採っている。
【００１２】
しかるに、最初に誤った局のＲＤＳデータを取り込んでしまうと、その局のＰＩコードとＡＦリストを作成し、このＡＦリストに基づいて受信機が追従動作してしまうため、ユーザーが希望したＲＤＳ局と異なるＲＤＳ局に移動してしまうという不具合があった。
【００１３】
本発明は、上記のような課題を解決するものであり、隣接妨害等によりユーザーが希望するＲＤＳ局と異なるＲＤＳ局への移動を防止し、かつ誤ったＡＦリストの作成を防止し、併せてスムーズな追従動作を可能にした多重放送用受信装置を提供することを目的とする。
【００１４】
【課題を解決するための手段】
上記目的を達成するために請求項１に記載の発明は、ＦＭチューナを備え、このＦＭチューナが番組放送及び該番組放送に多重化された多重データを含む多重放送電波を受信しながら、この多重放送から得られる代替周波数リストに基づいて前記ＦＭチューナを受信状況の良好な代替局周波数に追従動作させる制御手段と、受信した多重データを取り込み記憶する記憶手段とを有する多重放送用受信装置であって、前記制御手段は、前記ＦＭチューナがある放送局にチューニングして、当該放送局の多重放送電波から得られる多重データが所定グループ分取得できたか否かを判定するグループ取得判定手段と、このグループ取得判定手段にて多重データが所定グループ分取得できたと判定すると、電界強度が良好な受信状況下で多重データから番組識別コードが取得されたか否かを判定する番組識別コード取得判定手段と、この番組識別コード取得判定手段にて番組識別コードが取得されたと判定すると、この取得した番組識別コードとそれ以降に取得した多重データの番組識別コードとを比較し、一致しているか否かを判定する番組識別コード比較判定手段と、この番組識別コード比較判定手段が一致していると判定すると、この一致している番組識別コードに基づいて、多重データから代替周波数リストを含むデータを作成して記憶手段に格納する第１のデータ作成手段とを備えることを特徴とする。
【００１５】
本発明によれば、ＲＤＳデータ等の多重データを取得し、データ受信中の電界強度状態が良好な受信状況下における多重データの番組識別コードをその放送局の番組識別コードとして決定し、当該番組識別コードと、それ以降に受信した多重データの番組識別コードとを比較し、同一の番組識別データの時に他の多重データであるＡＦデータ、ＴＰデータ、ＴＡデータ及びＰＴＹデータを取り込んで、ＡＦリストやＰＴＹデータ等を作成するから、隣接妨害等によりユーザーが希望するＲＤＳ局と異なるＲＤＳ局への移動を防止し、かつ誤ったＡＦリストの作成を防止し、併せてスムーズな追従動作を可能にする。
【００１６】
請求項２に記載の発明は、前記番組識別コード比較判定手段にて一致していないと判定しても、多重データから任意に選択されたＰＳデータを含むデータを作成して記憶手段に格納する第２のデータ作成手段を更に備えることを特徴とする。
【００１７】
本発明によれば、番組識別コードが一致しなくても、多重データから任意に選択されたＰＳデータを含むデータの作成が可能になる。
【００１８】
請求項３に記載の発明は、ＦＭチューナを備え、このＦＭチューナが番組放送及び該番組放送に多重化された多重データを含む多重放送電波を受信しながら、この多重放送電波から得られる代替周波数リストに基づいて前記ＦＭチューナを受信状況の良好な代替局周波数に追従動作させる制御手段と、受信した多重データを取り込み記憶する記憶手段を有する多重放送用受信装置であって、前記制御手段は、前記ＦＭチューナがある放送局にチューニングして、当該放送局の放送電波から得られる多重データが所定グループ分取得できたか否かを判定するグループ取得判定手段と、このグループ取得判定手段にて多重データが所定グループ分取得できたと判定すると、電界強度が良好な受信状況下で多重データから番組識別コードが取得されたか否かを判定する番組識別コード取得判定手段と、この番組識別コード取得判定手段にて番組識別コードが取得されていないと判定されると、前記多重データを取得できる所定の期間、電界強度が良好な受信状況下に保持されているか否かを判定する取得期間判定手段と、この取得期間判定手段にて良好な受信状況下に保持されていると判定すると、前記番組識別コードが予め指定された回数有効であるか否かを判定する番組識別コード判定手段と、この番組識別コード判定手段にて番組識別コードが指定回数有効であると判定すると、この番組識別コードに基づいて多重データから代替周波数リストを含むデータを作成して前記記憶手段に格納するデータ作成手段とを備えることを特徴とする。
【００１９】
本発明によれば、番組識別データが取得されていない場合であっても、データ受信中の電界強度の状態を所定期間監視し、この電界強度状態により番組識別データが指定回数有効であるか否かを判断し、指定回数有効であるときに番組識別データを取得して、この番組識別データを基に他の多重データであるＡＦデータ、ＴＰデータ、ＴＡデータ及びＰＴＹデータを取り込んで、ＡＦリストやＰＴＹデータ等を作成するから、隣接妨害等によりユーザーが希望するＲＤＳ局と異なるＲＤＳ局への移動を防止し、かつ誤ったＡＦリストの作成を防止し、併せてスムーズな追従動作を可能にする。
【００２０】
【発明の実施の形態】
以下、図面に基づいて本発明の多重放送用受信装置について説明する。図１は本発明の多重放送用受信装置を適用したＲＤＳ受信機の概略構成を示すブロック図である。
【００２１】
図１において、ＲＤＳ受信機は、複数の放送局から放送される、番組放送及び該番組放送に多重されたＲＤＳデータを含むＦＭ多重放送電波を受けるアンテナ１１と、このアンテナ１１を通して所望の放送電波を受信するＦＭチューナ１２と、このＦＭチューナ１２にて受信すべき所望の放送電波に同調させるための局部発振周波数ＯＳＣをＦＭチューナ１２に供給するＰＬＬ回路１３と、このＰＬＬ回路１３２から出力される誤差信号Ｅ０１から低周波成分のみを抽出して同期電圧ＶＴをＦＭチューナ１２に供給する低域フィルタ（ＬＰＦ）１４と、ＦＭチューナ１２で検波された検波出力信号からＲＤＳデータを抽出するＲＤＳデコーダ１５と、ＦＭチューナ１２で検波された検波出力信号から受信信号の電界強度（ＳＤ信号）を検出する電界強度検出回路１６と、ＲＤＳ受信機全体を制御するマイクロコンピュータ（以下、マイコンと称する）１７を有している。
【００２２】
このマイコン１７には、ＲＤＳデコーダ１５で抽出されたＲＤＳデータや電界強度検出回路１６で検出されたＳＤ信号等が入力されるとともに、マイコン１７からはＰＬＬ回路１３に対して、受信レベルの良好な代替局に移すための選局指令及びユーザーによる選局指令が供給される構成になっている。
【００２３】
ＦＭチューナ１２は、アンテナ１１を通して受信したＦＭ多重放送から希望の局を選択し該局の受信周波数を中間周波数に変換して増幅するフロントエンド１２１と、フロントエンド１２１で増幅された中間周波数信号をＦＭ検波するＦＭ検波器１２２と、このＦＭ検波器１２２の検波出力信号をオーディオ信号に復調し、ステレオ放送の場合はＬ（左）、Ｒ（右）チャネルのオーディオ信号に分離するマルチプレクサ１２３を備えている。
【００２４】
また、ＲＤＳ受信機は、マルチプレクサ１２３からのオーディオ信号、オートチェンジャー（ＣＤ／ＡＣ）１８やテープデッキのメカニカルカセットメカ部１９からのオーディオ信号を切換選択する入力切換部２０と、この入力切換部２０で切換選択されたオーディオ信号を音量を調整する電子ボリューム２１と、この電子ボリューム２１で音量調整されたオーディオ信号を増幅するパワーアンプ２２と、このパワーアンプ２２から出力されるオーディオ信号により駆動され音声を出力するスピーカ２３と、ＲＤＳ受信機の各部に供給される電力を制御及び監視する電源コントローラ２４とを更に備えており、これらの各要素はマイコン１７により制御される構成になっている。
【００２５】
また、マイコン１７には、ＲＤＳデコーダ１５で抽出されたＲＤＳデータであるＡＦデータやＰＩコード及び電界強度検出回路１６で検出されたＳＤデータ等を記憶するメモリ（記憶手段）２５、及び様々な操作指令を入力する操作部２６が接続されている。この操作部２６は、様々な操作指令を入力するキーマトリックス２７と、様々な情報を液晶表示部（ＬＣＤ）２８に表示させるＬＣＤドライブ２９を有している。
【００２６】
上記マイコン１７は、ＦＭチューナ１２がある放送局にチューニングして当該放送局の放送電波から得られるＲＤＳデータが所定グループ取得できたか否かを判定するグループ取得判定手段１７１と、このグループ取得判定手段１７１がＲＤＳデータを所定グループ取得できたと判定した時に、電界強度検出回路１６で検出されたＳＤデータを監視し、該ＳＤデータが「Ｈ」レベルとなる良好な受信状況下でＲＤＳデコーダ１５から取り込んだＲＤＳデータからＰＩコードＰＩｉを取得できたか否かを判定するＰＩコード取得判定手段１７２と、このＰＩコード取得判定手段１７２がＰＩコードＰＩｉを取得したと判定した時に、当該取得したＰＩコードＰＩｉと上記取得したグループのＰＩコードとを比較して、これらＰＩコード同士が一致しているか否かを判定するＰＩコード比較判定手段１７３と、ＰＩコード取得判定手段１７２がＰＩコードＰＩｉを取得していないと判定した時に、所定グループのＲＤＳデータを取得できる所定の期間ＳＤデータが「Ｈ」レベルとなる良好な受信状況下に保持されているか否かを判定する取得期間判定手段１７４と、この取得期間判定手段１７４が所定期間良好な受信状況下にあると判定した時に、ＰＩコードＰＩｉが予め指定された回数有効か否かを判定するＰＩコード判定手段１７５と、上記ＰＩコード比較判定手段１７３が一致していると判断したＰＩコード、又は上記ＰＩコード判定手段１７５が指定回数一致すると判断した時はＰＩコードを基にＲＤＳデータからＡＦリストの作成及びＰＴＹデータの作成を行う第１のデータ作成手段１７６と、上記ＰＩコード比較判定手段１７３が一致しないと判断しても、ＲＤＳデータから任意に選択されたＰＳデータ及びＣＴデータ（時間と日付）を含むデータを作成する第２のデータ作成手段１７７とを備える。
【００２７】
次に、図２に示すフローチャートを参照してマイコン１７が行う処理動作について説明する。
【００２８】
図２に示す処理プログラムがスタートすると、まず、ＦＭチューナ１２が受信中であるか否かを判定する（ステップＳ１）。ここで、ＦＭチューナ１２が受信中でない場合はマイコン１７の処理は終了し、受信中である場合は、グループ取得判定手段１７１により、ＦＭチューナ１２がある放送局にチューニングして当該放送局の放送電波からＲＤＳデコーダ１５を通して得られる１グループ分のＲＤＳデータ（図３参照）がマイコン１７に取り込まれたか否かを判定し（ステップＳ２）、１グループ分のＲＤＳデータがマイコン１７に取り込まれるまでステップＳ２の処理を繰り返し実行する。
【００２９】
グループ取得判定手段１７１にて、１グループ分のＲＤＳデータがマイコン１７に取り込まれたことを判定した場合は、ＰＩコード取得判定手段１７２により、電界強度検出回路１６で検出されたＳＤデータを監視し、該ＳＤデータが「Ｈ」レベルとなる良好な受信状況下でＲＤＳデコーダ１５から取り込んだＲＤＳデータからＰＩコードＰＩｉを取得できたか否かを判定する（ステップＳ３）。
【００３０】
ここで、ＰＩコード取得判定手段１７２がＰＩコードＰＩｉを取得したと判定した場合は、当該取得したＰＩコードＰＩｉと上記取得したグループのＰＩコードとを比較し、一致しているか否かを判定する（ステップＳ４）。
【００３１】
一致していると判定された場合は、第１のデータ作成手段１７６により、一致したＰＩコードを基にして、取得したＲＤＳデータからＡＦリストの作成し、かつＰＴＹデータを作成してメモリ２５に格納する（ステップＳ５）。
【００３２】
また、ステップＳ４にて一致しない場合は、第２のデータ作成手段１７７により、取得したＲＤＳデータからＰＳデータ及びＣＴデータ（時間と日付）を作成してメモリ２５に格納する（ステップＳ６）。その後、受信処理が終了したかを判定し（ステップＳ７）、受信が終了した場合は、図２の処理が終了し、また、終了しない場合はステップＳ２に戻る。
【００３３】
一方、ステップＳ３においてＰＩコード取得判定手段１７２がＰＩコードＰＩｉを取得していないと判定した場合は、取得期間判定手段１７４にて、所定グループ分のＲＤＳデータを取得することができる所定の期間、電界強度検出回路１６で検出されたＳＤデータを監視し、該ＳＤデータが「Ｈ」レベルとなる良好な受信状況下に所定期間維持されているか否かを判定する（ステップＳ８）。
【００３４】
ここで、取得期間判定手段１７４にて、データ受信中のＳＤ状態により良好な受信状況が所定期間維持されないと判断した場合はステップＳ２に戻り、ステップＳ２以下の処理を再度実行する。
【００３５】
また、ステップＳ８にて、データ受信中のＳＤ状態が良好な受信状況下にあると判定した場合は、ＰＩコード判定手段１７５にて、取得したＲＤＳデータから抽出される有効なＰＩコードＰＩｉが予め指定された回数有効か否かを判定する（ステップＳ９）。
【００３６】
ここで、指定回数有効なＰＩコードがない場合はステップＳ２に戻り、ステップＳ２以下の処理を再度実行する。また、ＰＩコード判定手段１７５が指定回数有効と判断した場合は、ＰＩコードＰＩｉに一致するＰＩコードをメモリ２５に記憶し（ステップＳ１０）、このＰＩコードを基にして、第１のデータ作成手段１７６によりＲＤＳデータからＡＦリスト及びＰＴＹデータを作成して、これらＡＦリスト及びＰＴＹデータをメモリ２５に格納する（ステップＳ６）。
【００３７】
従って、本実施の形態によれば、１グループ分のＲＤＳデータを取得し、データ受信中のＳＤ状態が良好な受信状況下におけるＲＤＳデータのＰＩコードをその放送局のＰＩコードとして決定し、当該ＰＩコードと、それ以降に受信したＲＤＳデータのグループのＰＩコードとを比較し、同一のＰＩデータの時に他のＲＤＳデータであるＡＦデータ、ＴＰデータ、ＴＡデータ及びＰＴＹデータを取り込んで、ＡＦリストやＰＴＹデータ等を作成し、また、ＰＩデータが取得されていない場合は、データ受信中のＳＤの状態を所定期間監視し、このＳＤ状態によりＰＩデータが有効か無効かを判断し、有効の時にＰＩデータを取得して、このＰＩデータを基に他のＲＤＳデータであるＡＦデータ、ＴＰデータ、ＴＡデータ及びＰＴＹデータを取り込んで、ＡＦリストやＰＴＹデータ等を作成する構成にしたので、隣接妨害局のＲＤＳデータが最初に誤って取り込まれても、この時はＳＤデータはＬｏｗになるため、誤ってＰＩコードが取得されることがなく、しかも、誤ったＦＭチューナの追従動作をなくすことができる。
【００３８】
これにより、隣接妨害等によりユーザーが希望するＲＤＳ局と異なるＲＤＳ局への移動を防止し、かつ誤ったＡＦリストの作成を防止し、併せてスムーズな追従動作が可能になる。
【００３９】
【発明の効果】
以上のように本発明によれば、ＲＤＳデータ等の多重データを取得し、データ受信中の電界強度状態が良好な受信状況下における多重データの番組識別コードをその放送局の番組識別コードとして決定し、当該番組識別コードと、それ以降に受信した多重データの番組識別コードとを比較し、同一の番組識別データの時に他の多重データであるＡＦデータ、ＴＰデータ、ＴＡデータ及びＰＴＹデータを取り込んで、ＡＦリストやＰＴＹデータ等を作成するから、隣接妨害等によりユーザーが希望するＲＤＳ局と異なるＲＤＳ局への移動を防止し、かつ誤ったＡＦリストの作成を防止し、併せてスムーズな追従動作が可能になる。
【００４０】
また、本発明によれば、番組識別コードが一致しなくても、多重データから任意に選択されたＰＳデータを含むデータの作成が可能になる。
【００４１】
また、本発明によれば、番組識別データが取得されていない場合は、データ受信中の電界強度の状態を所定期間監視し、この電界強度状態により番組識別データが有効か無効かを判断し、有効の時に番組識別データを取得して、この番組識別データを基に他の多重データであるＡＦデータ、ＴＰデータ、ＴＡデータ及びＰＴＹデータを取り込んで、ＡＦリストやＰＴＹデータ等を作成するから、隣接妨害等によりユーザーが希望するＲＤＳ局と異なるＲＤＳ局への移動を防止し、かつ誤ったＡＦリストの作成を防止し、併せてスムーズな追従動作が可能になる。
【図面の簡単な説明】
【図１】本発明の多重放送用受信装置を適用したＲＤＳ受信機の概略構成を示すブロック図である。
【図２】本発明の実施の形態におけるＲＤＳ受信機の動作手順を示すフローチャートである。
【図３】ＲＤＳデータのベースバンドコーティング構造を示す説明図である。
【符号の説明】
１１  アンテナ
１２  ＦＭチューナ
２５  メモリ（記憶手段）
１７  マイコン（制御手段）
１７１  グループ取得判定手段
１７２  ＰＩコード取得判定手段
１７３  ＰＩコード比較判定手段
１７４  取得期間判定手段
１７５  ＰＩコード判定手段
１７６  第１のデータ作成手段
１７７  第２のデータ作成手段
【図１】
0003908850.tif 000002
【図２】
0003908850.tif 000003
【図３】
0003908850.tif 000004